(57)【特許請求の範囲】
【請求項１】
インピーダンスマッチング液が収納される液槽と、前記液槽の槽壁に配置され被検体から発生した音響波を受信する受信面を有する探触子が複数配置された探触子アレイを備え、前記複数の探触子の出力に基づいて画像を生成する画像生成部と、を備える音響イメージング装置であって、
前記複数の探触子が収納される収納空間が形成されるように、前記探触子アレイを前記受信面の反対側から覆い前記液槽に固定されるカバー部材をさらに有し、前記探触子は受信した前記音響波に基づいて電気信号を出力する信号配線を備え、
前記信号配線は、防水機構を介して、前記収納空間から外部へ取り出されていることを特徴とする音響イメージング装置。
【請求項２】
複数の前記探触子を収納する収納空間の内部に乾燥剤が配置されていることを特徴とする請求項１に記載の音響イメージング装置。
【請求項３】
前記受信面は、撥水処理されていることを特徴とする請求項１または２に記載の音響イメージング装置。
【請求項４】
パルス光を発生させる光源をさらに有し、
前記探触子アレイは、前記パルス光により発生する光音響波を検出することを特徴とする請求項１乃至３のいずれか１項に記載の音響イメージング装置。
【請求項５】
前記光源から発生したパルス光を、前記探触子アレイの内側に導く導光手段をさらに有し、
前記導光手段は、前記カバー部材に設けられた導光防水機構を介して、前記収納空間から外部へ取り出されていることを特徴とする請求項４に記載の音響イメージング装置。
【請求項６】
前記カバー部材は複数の部材に分割可能であり、前記導光防水機構は、分割される部分に配置されていることを特徴とする請求項５に記載の音響イメージング装置。
【請求項７】
前記被検体を挿入するための挿入口を有し被験者を下方から支持する支持部材をさらに有し、
前記探触子アレイは、前記挿入口の下側に配置されていることを特徴とする請求項１乃至６のいずれか１項に記載の音響イメージング装置。
【請求項８】
前記探触子アレイ、前記固定部材および前記カバー部材は、導電性の部材であることを特徴とする請求項７に記載の音響イメージング装置。
【請求項９】
前記複数の探触子を収納される収納空間に、超音波送受信ユニット、液面センサ、液温センサ、モニタカメラの少なくともいずれか１つが配置されていることを特徴とする請求項１乃至８のいずれか１項に記載の音響イメージング装置。
【請求項１０】
前記液槽と前記探触子との前記防水機構は、前記液槽の槽壁の壁厚方向に、複数設けられていることを特徴とする請求項１乃至９のいずれか１項に記載の音響イメージング装置。
【請求項１１】
前記探触子は、長手方向を有しており、前記長手方向の一端に前記受信面を備え、前記長手方向の他端に信号配線を備えていることを特徴とする請求項１乃至１０のいずれか１項に記載の音響イメージング装置。
【請求項１２】
前記探触子は、前記受信面に静電容量型超音波トランスデューサを備えていることを特徴とする請求項１１に記載の音響イメージング装置。
【請求項１３】
少なくとも２方向に前記探触子アレイを移動可能な走査部を有することを特徴とする請求項１乃至１２のいずれか１項に記載の音響イメージング装置。
【請求項１４】
前記収納空間は、前記探触子アレイの前記受信面の反対側と前記カバー部材の間に形成されていることを特徴とする請求項１乃至１３のいずれか１項に記載の音響イメージング装置。
【請求項１５】
前記信号配線は、前記収納空間に露出した、前記探触子アレイの前記受信面の反対側から、前記防水機構を介して、前記収納空間から外部へ取り出されていることを特徴とする請求項１乃至１４のいずれか１項に記載の音響イメージング装置。
【請求項１６】
前記カバー部材は、前記液槽又は前記探触子アレイと前記カバー部材とを接続する接続部材を介して、前記液槽又は前記探触子アレイに固定され、
前記防水機構は、前記接続部材に配置されていることを特徴とする請求項１乃至１５のいずれか１項に記載の音響イメージング装置。
【請求項１７】
前記防水機構は、前記カバー部材に配置されていることを特徴とする請求項１乃至１５のいずれか１項に記載の音響イメージング装置。
【請求項１８】
被検体から発生した音響波を受信する複数の超音波変換器が配置された容器状の検出器を備え、前記複数の超音波変換器の出力に基づいて画像を生成する音響イメージング装置であって、
前記検出器の内側には、インピーダンスマッチング材が配置され、
前記超音波変換器の、前記音響波を受信する受信面の反対側には、容器状のカバー部材が配置され、
前記検出器と前記カバー部材とにより密閉空間が形成され、
前記複数の超音波変換器の信号配線は、第１の防水機構を介して、前記密閉空間から外部へ取り出されていることを特徴とする音響イメージング装置。
【発明の詳細な説明】
【技術分野】
【０００１】
本発明は、光音響イメージング装置や熱音響式スキャナ装置等の、生体組織内で発生した音波に基づく画像を生成する音響イメージング装置に関する。
【背景技術】
【０００２】
近年、光音響効果を利用して生体の内部を画像化する光音響イメージング装置が研究開発されている。光音響イメージング装置は、短時間発光するパルスレーザ光（レーザパルス）を生体内に照射し、パルスレーザ光のエネルギーを吸収した生体組織が、発熱による体積膨張時に発生する超音波（光音響波）から、画像を生成する（下記特許文献１参照）。
【０００３】
一方、電磁放射パルスによる生体組織内の熱膨張に伴う音響波から画像を生成する熱音響式スキャナ装置も研究開発されている（下記特許文献２参照）。
【先行技術文献】
【特許文献】
【０００４】
【特許文献１】特開２０１２−１７９３４８号公報
【特許文献２】米国特許出願公開公報第２０１１／３０６８６５号公報
【発明の概要】
【発明が解決しようとする課題】
【０００５】
特許文献１や特許文献２記載の装置では、ともに半球状の探触子アレイを有し、被検体と探触子アレイの間の空間をインピーダンスマッチング液で満たした構造である。そして半球状の探触子アレイを移動又は回転させ、レーザパルスや電磁放射パルスによる生体組織内の熱膨張に伴う音響波を多くの数の探触子で受信し、受信した音響波の信号から被検体の断層画像を再構成している。
【０００６】
ところで、インピーダンスマッチング液として水を使用した場合、探触子アレイの移動または回転により、水が探触子アレイの外側に漏れる場合がある。そして、探触子の周囲の湿度の上昇あるいは水の付着により、探触子が、信号強度の変化等の動作不良を起こす場合がある。更に、腐食やイオンマイグレーションにより探触子の受信性能が低下する恐れがあった。その対策のため、探触子の防水を行い探触子や信号配線が乾いた状態に保つ必要がある。またインピーダンスマッチング液としてジェルやひまし油等の水以外を用いる場合であっても、インピーダンスマッチング液の温度変化や装置温度の変化によって、探触子アレイの外側、すなわち探触子の出力を送信する信号配線の近傍に結露する場合がある。
【課題を解決するための手段】
【０００７】
本発明の音響イメージング装置の第１は、インピーダンスマッチング液が収納される液槽と、前記液槽の槽壁に配置され被検体から発生した音響波を受信する受信面を有する探触子が複数配置された探触子アレイを備え、前記複数の探触子の出力に基づいて画像を生成する画像生成部と、を備える音響イメージング装置であって、
前記複数の探触子が収納される収納空間が形成されるように、前記探触子アレイを前記受信面の反対側から覆い前記液槽に固定されるカバー部材をさらに有し、前記探触子は受信した前記音響波に基づいて電気信号を出力する信号配線を備え、前記信号配線は、防水機構を介して、前記収納空間から外部へ取り出されていることを特徴とする。
【０００８】
また、本発明の音響イメージング装置の第２は、被検体から発生した音響波を受信する複数の超音波変換器が配置された容器状の検出器を備え、前記複数の超音波変換器の出力に基づいて画像を生成する音響イメージング装置であって、前記検出器の内側には、インピーダンスマッチング材が配置され、前記超音波変換器の、前記音響波を受信する受信面の反対側には、容器状のカバー部材が配置され、前記検出器と前記カバー部材とにより密閉空間が形成され、前記複数の超音波変換器の信号配線は、第１の防水機構を介して、前記密閉空間から外部へ取り出されていることを特徴とする。
【発明の効果】
【０００９】
本発明によれば、簡単な構成で探触子が防水される。その結果、探触子や信号配線への水の付着や、探触子アレイがおかれる雰囲気の収納空間の湿度が高くなること等により、探触子が正常に動作しなくなる不具合や腐食やイオンマイグレーションによる探触子の受信性能が低下することを防止することが可能となった。
【図面の簡単な説明】
【００１０】
【図１】本発明の第１の実施形態に係る光音響イメージング装置の構造を示す模式図である。
【図２】本発明の第１の実施形態に係る第１の防水機構を示す模式図である。
【図３】本発明の第１の実施形態に係る第２の防水機構を示す模式図である。
【図４】本発明の第１の実施形態の変形例を示す模式図である。
【図５】本発明の第２の実施形態に係る光音響イメージング装置の構造を示す模式図である。
【図６】本発明の第２の実施形態の変形例を示す模式図である。
【図７】本発明の第２の実施形態の他の変形例を示す模式図である。
【図８】本発明の第３の実施形態に係る光音響イメージング装置の構造を示す模式図である。
【図９】本発明の第３の実施形態の変形例を示す模式図である。
【図１０】本発明の第４の実施形態に係る光音響イメージング装置の構造を示す模式図である。
【図１１】本発明の第５の実施形態に係る光音響イメージング装置の構造を示す模式図である。
【図１２】本発明に係る光音響イメージング装置の電気回路ブロック図である。
【図１３】本発明に係るＣＭＵＴプローブの構成を説明するためのブロック図である。
【図１４】本発明に係る中継基板の回路図である。
【図１５】本発明に係る診察台と観察時の患者の位置を示す模式図である。
【図１６】本発明に係る光音響イメージング装置の乳房を観察する部分の構造を示す模式図である。
【図１７】本発明に係る検出器のカップ部とＣＭＵＴプローブの防水構造を模式的に示した断面図である。
【発明を実施するための形態】
【００１１】
以下、本発明の実施形態を説明する。本発明においては、防水は、水の探触子への付着防止だけでなく、収納空間の湿度が高くなるのを防止する防湿も含む。
【００１２】
（光音響イメージング装置の観察部分の構造）
本発明は光音響イメージング装置以外にも適応可能であるが、本発明に好適な、乳房の観察に用いられる光音響イメージング装置を例にして実施形態を説明する。
【００１３】
図１５は、診察台と観察時の患者の位置を模式化して示した図である。患者の左右方向をＸ軸、頭尾方向をＹ軸、腹背方向をＺ軸とする。被験者を支持する支持台１０の液槽１３には、被検体１としての乳房を挿入する挿入口１１が配置されている。言い換えると、液槽１３の短手方向をＸ軸（水平面）、支持部材の長手方向をＹ軸方向（水平面）、液槽１３の厚み方向（鉛直軸）をＺ軸とみなすこともできる。
【００１４】
本実施形態では伏臥位で乳房を観察する光音響イメージング装置の例を示したが、本発明は座位等で観察する他の方式であってもよい。図１６は、挿入口１１の下部に配置された乳房の観察部の構造を示す図であり、図１５のＡ−Ｂ断面を模式的に示した図である。図１６において、図面の左右方向がＸ軸、図面の上下方向がＺ軸、図面の垂直方向がＹ軸である。探触子アレイ１７は、下方に向けて凹んだ凹部を有するカップ部と、カップ部に取り付けられた複数の探触子とからなり、挿入口１１の下側に配置される。探触子は、その受信面がそれぞれ異なる角度となるように設けられ、好ましくは、各探触子の指向性が球の中心に向くように球面状に設けられる。このように、被検体を囲むように球状に探触子を配置した探触子アレイ１７を用いることにより、探触子の受信面は被検体に対して大きな立体角をもつため、被検体に対する感度が高くなり、再構成された画像の画質が向上する。
【００１５】
一方、探触子の数はハードウエアコストや再構成信号処理の計算量から、無制限に多くを実装することはできない。例えば乳房を被検体１とした場合は、探触子アレイ１７を半球状とすれば、半径１５０ｍｍ程度の大きさが必要となる。例えばこの探触子アレイ１７に探触子を２５６個実装する場合、約５５０ｍｍ２あたり１つの探触子を実装する必要がある。すなわち、約２３ｍｍピッチで探触子を実装する必要がある。
【００１６】
光ファイバ等の導光手段３４は、鏡を組み合わせた多関節ミラーを用いた導光手段であってもかまわない。探触子アレイ走査部１５は、例えば、ステッピングモータとボールねじを用いたＸステージ１５ａ、Ｙステージ１５ｂが重ねられ実現される。そして、ＸＹ方向に自由に探触子アレイ１７を移動することができる。探触子アレイ１７と乳房保持部材１２の間の空間には、音響インピーダンスを整合させるためのインピーダンスマッチング液（整合層）が配置されている。インピーダンスマッチング液の液面１６は、被験者を支持する支持台１０近傍まで達していることが好ましい。さらに不図示ではあるが、乳房保持部材１２と不図示の乳房の間の空間にも、インピーダンスマッチング液が充てんされている。インピーダンスマッチング液としては乳房と探触子に音響インピーダンスが近く、パルス光を透過する液体で、具体的には水、ひまし油、ジェルなどが用いられる。
【００１７】
（第１の実施形態）
図１は、本発明の第１の実施形態の光音響イメージング装置の乳房を観察する部分の構造を示す図である。図１（ａ）は、図１５のＡ−Ｂ断面を模式的に示した図である。図面の左右方向がＸ軸、図面の上下方向がＺ軸、図面の垂直方向がＹ軸である。探触子アレイ１７は、所望の数の探触子１８（例えばピエゾ素子）の指向性が球の中心に向くように球面状に設けられた構成を持つ。下方に向けて凹んだ凹部を有するカバー部材１９は、探触子アレイ１７と液槽１３と共に、探触子アレイ１７の受信面の反対側から覆い複数の探触子１８を収納する収納空間Ａを形成する。複数の探触子１８の出力を送信する信号配線１８０は、カバー部材１９に設けられた防水機構２０（第１の防水機構）を介して、収納空間Ａから外部へ取り出されている。光ファイバ等の導光手段３４は、光源から発生したパルス光を探触子アレイ１７に導く。導光手段３４の発光面は撥水処理されている。カバー部材１９に設けられた防水機構２００は、導光手段３４を隔離された内部の空間から外部の空間へ引き出す。
【００１８】
図２は、カバー部材１９の外側から、即ち、探触子１８の受信面とは反対側から、カバー部材１９に設けられた防水機構２０を見た模式図である。スリーブＡ２４１、スリーブＢ２４２は、ゴム等の弾力性のある材料からなり、信号配線１８０の半径より小さい半径の半円の凹状の加工がされている。フレーム２４３は、図２（ｂ）に示すように、金属やプラスティック等からなり、取り付け用のねじ穴が形成されている。図２（ａ）に示すように、信号配線１８０をスリーブＡ２４１、スリーブＢ２４２で挟みこみ、フレーム２４３を重ね、カバー部材１９の穴部にねじで固定することにより、カバー部材１９に設けられた防水機構２０が実現される（図２（ｃ））。
【００１９】
図３は、カバー部材１９に設けられた防水機構２００の構造を示す模式図である。カバー部材１９にケーブルグランドボデイ２０１はロックナット２０２で固定される。カバー部材１９の表面に凹凸があるような場合には、不図示のゴムパッキンをケーブルグランドボデイ２０１とロックナット２０２との間に配置する。導光手段３４を、ゴムブッシュ２０３、ケーブルグランドボデイ２０１、キャップ２０４に通し、キャップ２０４のねじを締めることにより、導光手段３４をカバー部材１９に固定する。このような構成により防水構造を実現できる。
【００２０】
防水機構２０は、防水機構２００と同じ構成であっても良い。また、防水機構２０、２００として、グロメット（ゴムブッシュ）や防水用シリコン等を、信号配線１８又は導光手段３４とカバー部材１９との間に配置することにより、防水しても良い。
【００２１】
図１（ｂ）は、図１（ａ）のカバー部材１９を示した図である。カバー部材１９は、ねじ止めにより液槽１３と接合されており、探触子１８の保守点検等のために、液槽１３から容易に着脱可能となっている。液槽１３とカバー部材１９の間には、シール材が配置されている。探触子１８の受信面は撥水処理される。さらに、収納空間Ａの防水構造としては、探触子１８と液槽１３との間をＯ―リング等を用いることができる。Ｏ―リングは、図１７に示すように、液槽１３の槽壁の壁厚方向に複数設けることが防水性の点において好ましい。この構造によれば、液槽１３に対する探触子１８の取り外しが容易となり、保守性が向上する。本実施形態においては、複数の探触子１８は、液槽１３の槽壁のカップ状の部分に設けられている。同様にして、カバー部材１９と信号配線１８０とＯ―リング等のシール部材を介して撥水処理しても良い。また、液槽１３のカップ部と探触子１８は、接着剤やコーキング剤を用いて接着され、撥水処理されても良い。探触子アレイ１７と液槽１３とカバー部材１９によって囲まれた複数の探触子１８を収納する収納空間Ａは、乾燥した空気や、窒素等で満たしてもよい。インピーダンスマッチング液として水を使用した場合に、探触子アレイ１７の所望の位置への移動に伴い、水が液槽１３からあふれる場合がある。このような場合であっても、探触子１８や信号配線１８０への水の付着、または、湿度の上昇は起きない。したがって、水が探触子１８の出力間に付着することによって、出力間のインピーダンスが下がり、信号強度が変化する不具合や、腐食等による故障等を回避することが可能となる。
【００２２】
また、インピーダンスマッチング液として水以外のひまし油等を用いた場合であっても、装置の温度に比べインピーダンスマッチング液の温度が低い場合等に生じる結露を防止することが可能となる。すなわち、急激に探触子アレイ１７内側の温度が下がっても、収納空間Ａは湿度が低く保たれているので、内部に結露することはない。その結果、探触子１８や信号配線１８０に水が付着したり、湿度が上がることはない。探触子アレイ１７を洗浄するために、低水温の水を探触子アレイ１７に充てんした場合にも同様の効果をもたらす。
【００２３】
本実施形態によれば、探触子１８の出力を送信する信号配線１８０取り出し部を防水構造とする場合に比べ、防水箇所が少なくできるメリットがあり、組み立ての容易性、コストダウンを実現することが可能となる。
【００２４】
次に、本実施形態の変形例を図４に示す。図４（ａ）（ｂ）において、カバー部材１９ａ、１９ｂは、探触子アレイ１７と液槽１３と共に、探触子アレイ１７の受信面の反対側から覆う。図１で示した構造とは、カバー部材１９が２つに分割可能であるところのみ異なる。液槽１３とカバー部材１９ａ、１９ｂとの間、及び、カバー部材１９ａとカバー部材１９ｂとの間には、不図示のシール材が配置されている。図４に示した様に、カバー部材１９ａ、１９ｂは分割した構造であるので、探触子１８の保守点検等のために、液槽１３から、一つのカバー部材１９ａのみを外すことによって対応することもできる。この場合、カバー部材ひとつの大きさは小さくなるので作業性が向上する。また全てのカバー部材を外す必要がある場合であっても、小型のカバー部材を順に外すことができるので、より作業が容易になる。なお、カバー部材を多く分割すると、これらの効果をより得ることができるが、カバー部材のねじ止め等の手段やカバー部材同士のシール材がより多く必要なため、カバー部材を単に多くすることは、構造の複雑化、コストアップとなる。そのため、カバー部材の分割は２分割または４分割、多くとも６分割以下に抑えた方が良い。また、カバー部材は、Ｚ方向に分割してもよい。更に、導光手段３４部分でカバー部材が分割できる構造とするが好ましい。この場合、導光手段３４を探触子アレイ１７から外すことなく、カバー部材の着脱を容易に行うことができる。
【００２５】
（第２の実施形態）
図５は、本発明の第２の実施形態の光音響イメージング装置の乳房を観察する部分の構造を示す図である。図５（ａ）は、図１５のＡ−Ｂ断面を模式的に示した図で、図面の左右方向がＸ軸、図面の上下方向がＺ軸、図面の垂直方向がＹ軸である。
【００２６】
探触子アレイ１７、液槽１３、カバー部材１９、接続部材１９０とにより、探触子アレイ１７の受信面の反対側から覆う複数の探触子１８を収納する収納空間Ｂが形成される。図１で示した構造との違いは、図１のカバー部材１９が、図５においては、接続部材１９０とカバー部材１９の２つの部材により実現している点にある。カバー部材１９は、ねじ止め等により、シール材を介して、接続部材１９０に取り付けられている。接続部材１９０は、液槽１３に固定されている。接続部材１９０は、探触子アレイ１７自体に固定されていても、探触子アレイ１７、カバー部材１９、接続部材１９０と共に、探触子アレイ１７の受信面の反対側から覆うようにすることが可能となる。この場合、探触子アレイ１７の形状が麦わら帽子状形状であり、このつば部分に接続部材１９０を固定すると好適である。
【００２７】
本実施形態と第１の実施形態との違いは、液槽１３とカバー部材１９とを接続する接続部材１９０を有する点である。第１の実施形態では、探触子１８の出力を送信する信号配線１８０を、カバー部材１９に設けられた防水機構２０を通して、複数の探触子１８を収納する収納空間Ａから外部へ引き出している。このような構造は、カバー部材１９の着脱の際、信号配線１８０をカバー部材１９に設けられた防水機構２０から外さなくてはならないため手間のかかるものであった。本実施形態によれば、信号配線１８０は、接続部材１９０に実装されている防水機構２０を介して、複数の探触子１８を収納する収納空間Ｂから外部へ引き出すことが可能となる。その結果、カバー部材１９の着脱は、信号配線１８０を防水機構２０から外すことなく、容易に行うことができる。
【００２８】
次に、本実施形態の変形例を図６に示す。図６（ａ）（ｂ）において、導光手段３４は、カバー部材１９に設けられた防水機構２００を介して、外部へ引き出される。カバー部材１９に設けられた防水機構２００は探触子アレイ１７に固定されている。そして、カバー部材１９は、探触子アレイに固定された防水機構２００にねじ止め等の手段を用い不図示のシール材を介して取り付けられる。図６の構成において、図５の構成と異なる点は導光手段３４についても探触子アレイ１７に固定された防水機構２００を持つ点である。この構造により、導光手段３４を防水機構２００から取り外すことによりカバー部材１９の着脱が可能になるため、カバー部材１９の着脱がより容易になる。カバー部材１９は図６ｂに示した様な形状となる。図６の構造により、カバー部材１９の着脱が第１の実施形態に比べ容易になった。更に着脱を容易にするために、不図示ではあるが、図６で示したカバー部材１９を図４に示した様に導光手段３４の防水機構２００部分から分離できる構造とすると良い。このようにカバー部材を分割することによって、導光手段３４を防水機構２００から取り外すことなく、カバー部材の着脱が可能となるため、さらにカバー部材の着脱が容易に行える。
【００２９】
本実施形態の別の変形例を図７に示す。ケーブル１８１は、複数の探触子１８の出力を送信する信号配線１８０を束ねている。ケーブル１８１は、例えば、複数の細線同軸をまとめシースで包んだ構造のケーブルである。このように、複数の出力を送信する信号配線１８０を束ね、より数の少ないケーブル１８１にすることによって、防水機構２０の構造を簡略化することが可能となる。ケーブル１８１は、前述した他の実施形態にも適応可能である。図４に示した様に、導光手段３４の防水機構２００部分からカバー部材１９を分割してもよい。このようにカバー部材１９を分割することによって、導光手段３４を防水機構２００から取り外すことなく、カバー部材１９の着脱が可能となる。
【００３０】
静電容量型超音波トランスデューサ（ＣＭＵＴ（Ｃａｐａｃｉｔｉｖｅ  Ｍｉｃｒｏｍａｃｈｉｎｅｄ  Ｕｌｔｒａｓｏｎｉｃ  Ｔｒａｎｓｄｕｃｅｒｓ）プローブ）
探触子として静電容量型超音波トランスデューサＣＭＵＴプローブを使用した光音響イメージング装置について説明する。図１３は、ＣＭＵＴプローブ２１の構成を説明するためのブロック図である。ＣＭＵＴ素子２１０の振動膜は従来のピエゾ素子で実現した探触子と比較し、非常に軽く、柔らかい特長がある。それゆえ、広帯域の信号を受信することができる。ＣＭＵＴ素子２１０については、特開２００９−１６５９３１号公報により詳細に記されている。電流電圧変換回路２１１は、ＣＭＵＴ素子２１０の静電容量変化を電圧に変換する。電源配線２１２は、電流電圧変換回路２１１の電源供給とＣＭＵＴ素子２１０にバイアス電圧を供給する。信号配線２１３は、例えば同軸ケーブルを使用した配線で、電流電圧変換回路２１１でＣＭＵＴ素子２１０の容量変化を変換した電圧を出力する。コネクタ２１４の三角形のマークは、１ピンの位置を示している。ＣＭＵＴプローブ２１は、ＣＭＵＴ素子２１０と電流電圧変換回路２１１から構成されており、不図示の筺体に実装されている。そして、後述するように、ＣＭＵＴプローブ２１は、電源配線２１２と信号配線２１３とコネクタ２１４により、中継基板と結線される。
【００３１】
ＣＭＵＴプローブ２１は、ＣＭＵＴ素子２１０と電流電圧変換回路２１１とを近接に実装し、浮遊容量を少なくすることにより広帯域で良好なＳＮＲと比較的大きな信号振幅を得ることができる。言い換えれば、ＣＭＵＴ素子２１０と電流電圧変換回路２１１の距離を離して実装することが容易でない。そのため、ＣＭＵＴプローブ２１は、探触子を、比較的広い間隔（５ｍｍ以上）を離して実装する探触子アレイを実現する際に、有効な実装形態である。前述したように、被検体を囲むような球状に探触子を実装した探触子アレイ１７を用いる本発明の光音響イメージング装置においては、探触子を２５６個実装する場合、約２３ｍｍピッチで探触子を実装する必要がある。このような場合に、ＣＭＵＴ素子２１０と電流電圧変換回路２１１実装したＣＭＵＴプローブ２１の構成は好適である。
【００３２】
液槽１３のカップ部とＣＭＵＴプローブ２１との接続部に防水機構を備えた実施形態について、図１７を用いて説明する。
【００３３】
図１７は、液槽１３のカップ部とＣＭＵＴプローブ２１の防水構造を模式的に示した断面図である。図１７において、１７０は外側にねじ山を持つ中空のボルトであり、液槽１３のカップ部のＣＭＵＴプローブ取り付け穴の内側のねじ山と勘合するように構成されている。
【００３４】
符号２５０、２５１は液槽１３とＣＭＵＴプローブ２１との間の液密を担保するシーリング材である。本実施形態においては、シリコーンゴムからなるＯ―リングを用いている。シーリング材はインピーダンス液に対する化学的安定性、耐膨潤性、弾性特性から選択され、シリコーンゴム、テフロン（登録商標）系ゴム等が適応される。また、シーリングの形状はＣＭＵＴプローブ２１の形状、液槽１３の取り付け部の形状に適合するものであれば、Ｏ―リングに限定されない。
【００３５】
ＣＭＵＴプローブ２１の受信面には、ＣＭＵＴ素子２１０が検出器１７の中心に指向性が向くように実装されている。中空のボルト１７０の穴部に電源配線２１２と信号配線２１３を通し、液槽１３のカップ部のＣＭＵＴプローブ取り付け穴にＣＭＵＴプローブを差し込む。そして、中空のボルト１７０の外側のねじ山とＣＭＵＴプローブ取り付け穴の内側のねじ山を勘合し、中空のボルト１７０を回すことによってＣＭＵＴプローブ２１を液槽１３のカップ部に確実に固定することでできる。その際、押しつけ面ＱでＣＭＵＴプローブ２１の筺体を中空のボルト１７０が押すことによって、突き当て面ＰでＣＭＵＴプローブ２１が液槽１３のカップ部と位置決めされる。かかる位置決め機構により、かかる位置決め機構が無い場合、即ち、突き当て面Ｐが無い場合に比べて、シーリング材２５０、２５１は中空のボルト１７０による押しつけ力を受けることがないため、つぶれ等の変形が起きない。その結果、より良好に液槽１３のカップ部の内外の防水機能を果たすことができる。他の防水機構に比べ、液槽１３のカップ部とＣＭＵＴプローブ２１の防水構造は、ＣＭＵＴプローブ２１の筺体が例えば水等のインピーダンスマッチング材と直接接する構造となるため、少なくとも２段の防水機構を持つ構造が好適である。
【００３６】
以上説明したＣＭＵＴプローブ２１の防水構造は前述した第１並びに第２の実施形態に適用可能である。また後述する実施形態においても適用可能である。また、液槽１３のカップ部とＣＭＵＴプローブ２１の防水構造について説明したが、ピエゾ等の他の超音波変換器についても本防水構造は適応可能である。
【００３７】
（第３の実施形態）
図８は、本発明の第３の実施形態の光音響イメージング装置の乳房を観察する部分の構造を示す図である。図８（ａ）は、探触子アレイ１７を、被験者を支持する支持台１０の下方向から見た模式的な図で、図面の左右方向がＸ軸、図面の上下方向がＹ軸、図面の垂直方向がＺ軸である。
【００３８】
探触子アレイ１７には、所望の数のＣＭＵＴプローブ２１の指向性が球の中心に向くように球面状に設けられている。探触子アレイ１７と中継基板２２ａ、２２ｂ、２２ｃ、２２ｄは、液槽１３に固定されている。例えば、図中ａで示した点線内のＣＭＵＴプローブ２１は、電源配線２１２、信号配線２１３を介して、中継基板２２ａに接続される。図中ｂ、ｃ、ｄで示した点線内のＣＭＵＴプローブ２１についても同様である。なお、電源配線２１２、信号配線２１３は、図が煩雑になるのを避けるため１つのＣＭＵＴプローブ２１についてのみ記しているが、１６個のＣＭＵＴプローブ２１全てに電源配線２１２、信号配線２１３が接続されている。中継基板内で、電源配線と信号配線はそれぞれ束ねられ、電源配線ケーブルと信号配線ケーブルとして、後述する電源部、光音響受信部と接続される。図８では、図面が煩雑することを避けるため、それぞれ１本のケーブル２４ａ、２４ｂ、２４ｃ、２４ｄで示した。防水機構２０ａ、２０ｂ、２０ｃ、２０ｄを介して、ケーブル２４ａ、２４ｂ、２４ｃ、２４ｄは、前記複数の探触子を収納する収納空間Ｃから外部へ引き出される。探触子アレイ１７と液槽１３とカバー部材１９によって、ＣＭＵＴプローブ２１の出力を送信する信号配線取り出し部は外界から隔離される。前記複数の探触子を収納する収納空間Ｃは、乾燥した空気や、窒素等で満たされる。前述した様にカバー部材１９は複数に分割できる構成、特に導光手段３４を防水機構２００部分で分割できる構成とするとカバー部材の着脱がさらに容易になる。
【００３９】
図８（ｂ）は、図８（ａ）のＣ−Ｄ断面を模式的に示した図で、図面の左右方向がＸ軸、図面の上下方向がＺ軸、図面の垂直方向がＹ軸である。中継基板２２ｂ、２２ｄは不図示の取り付けねじにより液槽１３に固定されている。
【００４０】
次に、図１４を用いて、中継基板２２ａ、２２ｂ、２２ｃ、２２ｄについて説明する。中継基板２２ａ、２２ｂ、２２ｃ、２２ｄは同じ回路となっている。ＣＭＵＴプローブ２１が接続される接続コネクタ２２０、２２１、２２２、２２３は、それぞれＣＭＵＴプローブ２１のコネクタ２１４が接続される。本実施形態では、ＣＭＵＴプローブ１６個に対して４つの中継基板が配置された例を示しているので、中継基板１つあたりに接続される接続コネクタは４つとなる。ＣＭＵＴプローブ２１からの信号が伝送される信号配線２２８は、信号コネクタ２２７に接続され、信号配線ケーブルとして出力される。ＣＭＵＴプローブ２１の電源配線は、接続コネクタ２２０、２２１、２２２、２２３の１〜４ピンに相当する。これらの電源配線はまとめられて電源コネクタ２２６に接続され、電源配線ケーブルとして出力される。
【００４１】
ＣＭＵＴプローブを用いる場合、中継基板は高密度に配線パターンが印刷され、バイアス電源のための高い電圧が配線に印加される。そのため、中継基板のバイアス電源の配線パターンとＧＮＤパターン間には高い電圧差が発生するが、中継基板は、前記複数の探触子を収納する収納空間Ｃに配置されているため、高電界となっているパターン間でのイオンマイグレーションの発生を避けることができる。このように、ピエゾ素子とは異なり、ＣＭＵＴプローブを使用する際には、イオンマイグレーションを抑制する効果がある。
【００４２】
一方、中継基板の電源コネクタ２２６と信号コネクタ２２７から後述する電源部や光音響受信部への配線は比較的長くなる。そのため、電源コネクタ２２６と電源部との間の配線において、電圧降下が生じる。これは、ＣＭＵＴプローブ２１の電源配線をまとめたことによる電流の増加と、電源コネクタ２２６から後述する電源部までの配線が長いことにより電気抵抗が大きくなるため生じるものである。そのため、ＣＭＵＴプローブ２１に電源を送る配線の間にローカルレギュレータ２２４、２２５を追加し、電圧を安定化してＣＭＵＴプローブ２１に供給する。ローカルレギュレータ２２４、２２５は、三端子レギュレータＩＣと言われている集積回路等を用いても良いし、ディスクリート部品で安定化電源回路を構成しても良い。また、電源コネクタ２２６の３ピンのバイアス電源は、ほとんど電流が流れないので、上記で説明した電圧降下がほとんど起きない。そのため、ローカルレギュレータを実装しなくとも問題ない。また、電源コネクタ２２６から後述する電源部までの配線が長いことによる混入したノイズを減衰させるために、不図示ではあるが中継基板の電源線にノイズフィルタを追加し電源ノイズの削減を行うと更に好適である。
【００４３】
本実施形態では、中継基板が複数の探触子を収納する収納空間Ｃ内に配置されているので、ＣＭＵＴプローブ２１の出力間に水が付着することにより、インピーダンスの低下による信号強度の変化や、腐食等による故障を回避することが可能となる。さらにバイアス回路のイオンマイグレーションを防止することができるので受信性能の向上が実現できる。そして、本発明の構造によれば、中継基板２２ａ、２２ｂ、２２ｃ、２２ｄ、ＣＭＵＴプローブ２１の出力を送信する信号配線取り出し部を防水構造とする場合に比べ、防水箇所が少なくできるメリットがあり、組み立ての容易性、コストダウンを実現することが可能となる。また、第２の実施形態に比べ、中継基板でケーブルを束ねることができるので、実装が簡単化される利点もある。探触子１８としてピエゾ素子を使用した第１の実施形態あるいは第２の実施形態であってもケーブルを束ねる目的で中継基板を用いても良い。
【００４４】
本実施形態の変形例を図９に示す。図９（ａ）は、本例の光音響イメージング装置の探触子アレイ１７を、被験者を支持する支持台１０の下方向から探触子アレイを見た模式的な図で、図９（ｂ）は、図９（ａ）のＣ−Ｄ断面を模式的に示した図である。中継基板２２ｊの形状は、探触子アレイ１７とほぼ同心の中空円盤状の形状である。ＣＭＵＴプローブ２１と中継基板２２ｊは、電源配線２１２、信号配線２１３で接続されている。中継基板内での配線やケーブル及び防水機構２０ｂ、２０ｄに関しては、前述した実施形態と同様である。
【００４５】
中継基板２２ｊは不図示の取り付けねじにより、液槽１３に探触子アレイ１７の中心位置とほぼ同じ中心位置となるように固定されている。前述した実施形態と異なり、中継基板の数は１つである。但し、探触子アレイ１７に実装するＣＭＵＴプローブ２１の数が大きい場合、物理的なプリント基板は１つであっても、電気回路的に複数のブロック構成としてもよい。すなわち、中継基板２２ｊの形状は中空円盤状で１つではあるが、電気回路的には前述の実施形態同様に、例えば、４つの独立した回路となる様に設計すると好適である。このようにすることによって、中継基板２２ｊと電源部７との電源配線に流れる電流を分散でき電圧降下を少なくすることが可能となる。また、ローカルレギュレータの発熱もレギュレータＩＣが分割されることによって、放熱器を小さくできる効果がある。
【００４６】
本例では、中継基板が１つなので、装置の組み立て性やメンテナンス性がより向上する。
【００４７】
（第４の実施形態）
本発明の第４の実施形態を、図１０を用いて説明する。本実施形態は、第３の実施形態に第２の実施形態を適応した構造である。図１０（ａ）は、光音響イメージング装置の探触子アレイ１７を、被験者を支持する支持台１０の下方向から探触子アレイを見た模式的な図で、図１０（ｂ）は、図１０（ａ）のＣ−Ｄ断面を模式的に示した図である。
【００４８】
カバー部材１９は、探触子アレイ１７に固定された接続部材１９０に取り付けられる。ケーブル２４ａ、２４ｂ、２４ｃ、２４ｄは、接続部材１９０に実装されている防水機構２０ａ、２０ｂ、２０ｃ、２０ｄを介して、複数の探触子を収納する収納空間Ｄから外部へ引き出すことが可能となる。その結果、カバー部材１９の着脱は、ケーブル２４ａ、２４ｂ、２４ｃ、２４ｄを、防水機構２０から外すことなく行うことが可能となる。
【００４９】
第３の実施形態との違いは、探触子アレイに固定された部材１９０に防水機構２０ａ、２０ｂ、２０ｃ、２０ｄが実装されており、カバー部材１９の着脱時にケーブル２４ａ、２４ｂ、２４ｃ、２４ｄは防水機構２０ａ、２０ｂ、２０ｃ、２０ｄから外す必要がない。その結果、カバー部材１９の着脱がより容易になる効果がある点である。また、導光手段３４を複数の探触子を収納する収納空間Ｄから外部へ引き出すための防水機構２００は、探触子アレイ１７に固定されている。その結果、カバー部材１９の着脱は、導光手段３４を探触子アレイ１７に固定されている防水機構２００から外すことにより、容易に行える効果がある。また、カバー部材１９を防水機構２００部分で分割する構造とすることによって、導光手段３４を防水機構２００から取り外すことなく、カバー部材１９の着脱が可能となる。その結果、より、カバー部材の着脱がより容易となり、メンテナンスの向上が実現できる。
【００５０】
本実施形態によれば、中継基板２２ａ、２２ｂ、２２ｃ、２２ｄ、２２ｊ、ＣＭＵＴプローブ２１の出力を送信する信号配線取り出し部を防水構造とする場合に比べ、防湿ａｂｄ／ｏｒ防水箇所が少なくできるメリットがあり、組み立ての容易性、コストダウンを実現することが可能となる。さらに、接続部材１９０に防水機構２０ａ、２０ｂ、２０ｃ、２０ｄを設けることにより、より容易にカバー部材１９の着脱が可能となりメンテナンス性を向上できる。
【００５１】
（第５の実施形態）
本実施形態は、第４の実施形態と、複数の探触子を収納する収納空間に、他の電気ユニットを実装した構造である点が異なり、他は同様である。図１１は、本実施形態の光音響イメージング装置の乳房を観察する部分の構造を示す図である。図１１（ａ）は、探触子アレイ１７を、被験者を支持する支持台１０の下方向から探触子アレイを見た模式的な図で、図１１（ｂ）は、図１０（ａ）のＣ−Ｄ断面を模式的に示した図である。
【００５２】
ケーブル２４ｅは１本でまとめて図示したが、電源供給や信号出力のケーブルを分けて実装しても良い。防水機構２０ｅを介して、ケーブル２４ｅは、複数の探触子を収納する収納空間Ｅから外部へ引き出される。超音波送受信ユニット２３は、液槽１３に固定される。超音波送受信ユニット２３の送受信面は、撥水処理され、被検体の方向（Ｚ方向）に向けて実装されている。超音波送受信ユニット２３と液槽１３は、接着剤やコーキング剤を用いて接着され撥水処理される。このような超音波送受信ユニット２３を液槽１３に実装することによって、光音響波により得られた画像以外に、超音波の反射による画像もひとつの装置で得ることができるため、診断精度を上げることが可能となる。
【００５３】
本実施形態によれば、ＣＭＵＴプローブ２１の出力を送信する信号配線取り出し部や中継基板２２ａ、２２ｂ、２２ｃ以外にも、防水対策が必要な超音波送受信ユニット２３を、複数の探触子を収納する収納空間Ｅに実装する構造とすること可能になる。その結果、各々を独立に防水対策を行う場合に比べ、防水箇所が少なくできる。
【００５４】
本実施形態では、複数の探触子を収納する収納空間に超音波送受信ユニット２３を実装した構造について説明したが、他の電気ユニットであっても同様な効果を得ることができる。例えば、被検体である乳房が乳房保持部材１２に保持されているかを検出する光学センサや、インピーダンスマッチング液の液面１６が正常値にあるか判定する液面センサや、インピーダンスマッチング液の温度を検出する液温センサや、被検体である乳房を観察するためのモニタカメラ等の電気ユニットであっても同様な効果が得られる。
【００５５】
（第６の実施形態）
次に本発明の第６の実施形態を説明する。本実施形態は、第１から第５の実施形態で説明した装置全てに適用できる。
【００５６】
複数の探触子を収納する収納空間の湿度を下げた状態に保持するため、空間内部に乾燥剤等を備える。乾燥剤としては、シリカゲルやゼオライト等の多孔質構造を持つ物理的乾燥剤が好適である。また、複数の探触子を収納する収納空間の湿度を計測するセンサを設け、湿度が上昇した場合、装置ユーザへメンテナンスを要求する機能を有するとさらに好適である。
【００５７】
乾燥剤は、水を吸収し質量が増加するで、カバー部材１９の内面に貼り付けて配置したり、液槽１３から複数の探触子を収納する収納空間の内部へ吊り下げて設置する構成が好ましい。
【００５８】
また、カバー部材１９は、複数の探触子を収納する収納空間の内部の観察を容易にするため、透明な部材が好適である。例えばポリカーボネイトの様なプラスティック材料で形成すると良い。特に乾燥材等を空間内部に配置する場合、カバー部材１９を透明な樹脂等の部材とし内部が容易に観察できる構造とすると好適である。
【００５９】
さらに、探触子アレイ１７、液槽１３、カバー部材１９、接続部材１９０を全て導電性部材とすることによって、複数の探触子を収納する収納空間は、外界に対して電磁シールド効果を持つことが可能となる。電磁シールド処理によって、探触子１８に対する外来電磁波によるノイズを減少させることが可能となる。カバー部材１９を透明なプラスティック材料で形成した場合は、導電性を持たすため、スパッタ法や塗布法を用いてＩＴＯ膜を形成すると良い。
【００６０】
また、防水機構は、例えばケーブルグランドあるいはケーブルエントリーシステムと呼ばれる部材を使用するとよい。また、シリコーンゴム等の材質のパッキン等を用いても良い。
【００６１】
第１の実施形態から第５の実施形態で説明した装置は、インピーダンスマッチング液を、探触子アレイ１７と液槽１３から成る容器に配置することにより、被検体である乳房との音響インピーダンスのマッチングをとっている。
【００６２】
（光音響イメージング装置の回路構成とその動作）
最後に、図１２を用いて本実施形態の光音響イメージング装置の回路構成とその動作について説明する。図１２は、第３の実施形態で説明したＣＭＵＴプローブを探触子として用いた光音響イメージング装置の回路構成を示している。カバー部材１９を導電性とし接地すると、ＣＭＵＴプローブ２１等に対してシールド効果を得ることができる。ＣＭＵＴプローブ２１、中継基板２２ａは、図の煩雑さを防ぐためひとつのＣＭＵＴ素子に対する配線のみ記している。他のＣＭＵＴ素子に対しても同様の構成である。探触子アレイ１７には複数のＣＭＵＴプローブ２１が実装されているが、説明をわかり易くするために、図６ではひとつのＣＭＵＴ素子について図示している。ここでＣＭＵＴ素子からメモリ４５２が、複数のＣＭＵＴ素子毎に並列に構成される。
【００６３】
図１２において、光照射タイミング制御手段であるところのシステム制御部５からのレーザ発光指示に従いレーザパルス送信部３のレーザ発光制御回路３１は、発振開始信号Ｓ１をＱスイッチ３２に出力する。そして、レーザパルス送信部３のレーザ装置３３は発振開始信号Ｓ１のタイミングでレーザパルスを照射する。ここでＱスイッチ３２は、他の構成の発振制御手段であっても構わない。例えば、半導体レーザの場合は、直接変調で十分に高速な応答が可能であるので、Ｑスイッチ３２を用いず、変調ドライバを使用すると良い。すなわち、変調ドライバが発振制御手段となる。レーザパルスは、ファイバ３４により導光され、被検体である乳房１を照射する。乳房１に入射したレーザパルスは、乳房１の吸収効率に従った光音響波を発生させる。光音響受信部４は以下に示す様に光音響波を受信し断層画像化（画像再構成処理）する。ＣＭＵＴ素子に入力された光音響波はアナログ電気信号（光音響信号）に変換される。ＣＭＵＴプローブ２１で変換されたアナログ電気信号（光音響信号）は、ＡＤ変換器４２でデジタルデータ（光音響データ）Ｓ４に変換される。一方、ＡＤ変換器４２に入力するサンプリングクロックＳ３は、受信基準クロック回路４３で作られたジッタの少ない安定した基準クロックである。光音響データＳ４のメモリ４５２への書き込みタイミングは、光検出器４４の出力である受光トリガ信号Ｓ２により決定される。そして、決定された書き込みタイミング以後の所望の数のＡＤ変換されたデジタルデータ（光音響データ）Ｓ４が順次メモリ４５２に記憶される。すなわち、受光トリガ信号Ｓ２が入力された時刻を起点として、サンプリングクロックＳ３のタイミングでＡＤ変換器４２が変換したデジタルデータ（光音響データ）Ｓ４を、信号処理部４５の書き込み制御回路４５１は所望の数を連続してメモリ４５２に記憶する。信号処理回路４５３は他のＣＭＵＴ素子に対応する光音響データもメモリから共に読み出し、信号処理（画像再構成）を行い光音響波に基づく生体内の可視化（断層画像化）した画像データを作成する。そして、出力端子６から画像データを出力する。本実施形態では再構成された画像データを出力する出力端子６を明示的に記したが、例えば再構成された画像データを不図示のメモリに記憶するためのネットワーク入出力端子や、単に記憶するための不揮発性メモリであっても良い。図１２において、信号処理回路４５３はハードウエアで処理する構成を説明したが、ソフトウエアで処理してもかまわない。特に、近年マルチコア化されたＣＰＵを用いることによって比較的短時間で画像再構成が可能となる。ソフトウエアで処理する場合はメモリ４５２から読み出し処理を行う。この場合、ソフトウエア処理の負荷が集中しない様なレーザパルスの照射タイミングを決定すると好適である。断層画像化するための信号処理（画像再構成）については、特開２０１１−５０４２号公報に詳しく記されているので説明は省略する。
【００６４】
一方、ＣＭＵＴプローブ２１への電源は電源部７より供給する。例えば、電源部７は光音響受信部４と同一ラック内に設置される。中継基板２２ａ、２２ｂ、２２ｃ、２２ｄでローカルレギュレータを実装する場合には、ローカルレギュレータの入出力間電圧降下に、中継基板２２ａ、２２ｂ、２２ｃ、２２ｄから電源部７の配線の電圧降下を加えた電圧をＣＭＵＴプローブ２１の電源電圧に加えた値より大きな電圧を出力する。なお、説明では正電圧のレギュレータの場合について説明したが、負電圧のレギュレータの場合は、前述の説明は絶対値で考えればよい。この様に、電源部７の電圧を設定することによって、ＣＭＵＴプローブ２１に安定に所望の電圧を印加することが可能となる。
【００６５】
以上の説明した様に、図１２に示した光音響イメージング装置の電気回路ブロック図の構成で、光超音波に基づく画像を得ることができる。
【００６６】
図１２には探触子としてＣＭＵＴプローブ２１を用いた構成を示したが、ピエゾ等の探触子を用いても同様に光超音波に基づく画像を得ることができる。この場合は、電源７は必要がなく、中継基板２２ａは必ずしも必要なわけではない。探触子としてピエゾ素子を用いた場合も基本的な動作はＣＭＵＴプローブ２１を用いた場合と同じである。
【００６７】
本発明は、電磁放射パルスによる生体組織内の熱膨張に伴う音響波から画像を生成する熱音響式スキャナ装置についても適応可能である。その際、前述の実施形態で説明した光ファイバ等の導光手段３４は、マイクロ波発生器等のＲＦパルス出射手段から送信される短時間幅の放射線パルスを探触子アレイ内に放射するための円形状の導波管、または、導波管にマイクロ波のＲＦパルスを導く伝送線に相当する。本発明は、生体組織内で発生した音波を複数の探触子が配置された下方に向けて凹んだ凹部を有する形状の探触子アレイで受信し、生体組織内で発生した音波に基づく画像を形成する装置に良好に適応できる。
【符号の説明】
【００６８】
１  被検体
１７  探触子アレイ
１８  探触子
１９、１９ａ、１９ｂ  カバー部材
２０、２０ａ、２０ｂ、２０ｃ、２０ｄ、２０ｅ  防水機構
【図１】
0006570375.tif 000002
【図２】
0006570375.tif 000003
【図３】
0006570375.tif 000004
【図４】
0006570375.tif 000005
【図５】
0006570375.tif 000006
【図６】
0006570375.tif 000007
【図７】
0006570375.tif 000008
【図８】
0006570375.tif 000009
【図９】
0006570375.tif 000010
【図１０】
0006570375.tif 000011
【図１１】
0006570375.tif 000012
【図１２】
0006570375.tif 000013
【図１３】
0006570375.tif 000014
【図１４】
0006570375.tif 000015
【図１５】
0006570375.tif 000016
【図１６】
0006570375.tif 000017
【図１７】
0006570375.tif 000018